(57)【要約】  【課題】  簡素化された回路構成を有し、信号伝送損失の増大が回避でき、半導体高周波スイッチ１の切替接続に３本の制御線１３を用いて切替制御系を簡単な構成にした高周波スイッチ回路を提供する。  【解決手段】  信号伝送を第１送受信方式で行う第１通信システム、第１送受信方式より高レベルの信号伝送を第２送受信方式で行う第２通信システムを切替える高周波スイッチ回路で、切替制御手段によって可動接点４が第１乃至第３分岐端子３（１）乃至３（３）に切替接続される半導体高周波スイッチ１を用い、可動端子２に共用アンテナ５を、第１分岐端子３（１）に第１通信システムにおける送受信回路を、第２分岐端子３（２）に第２通信システムにおける送信回路を、第３分岐端子３（３）に第２通信システムにおけるの受信回路をそれぞれ接続し、選択的に可動接点４を第１乃至第３分岐端子３（１）乃至３（３）のいずれかに切替接続する。  【選択図】  図１
2006129023.tif 000002
【特許請求の範囲】
【請求項１】
信号伝送を第１送受信方式によって行う第１通信システムと、前記第１送受信方式よりも高レベルの信号伝送を第２送受信方式によって行う第２通信システムとを切替える高周波スイッチ回路であって、切替制御手段を用いて共通端子に結合された可動接点を第１乃至第３分岐端子にそれぞれ切替接続させる半導体高周波スイッチを備え、前記共通端子に共用アンテナを接続し、前記第１分岐端子に前記第１通信システムにおける送信回路及び受信回路を接続し、前記第２分岐端子に前記第２通信システムにおける送信回路を接続し、前記第３分岐端子に前記第２通信システムにおける受信回路を接続し、前記切替制御手段の制御により前記可動接点を第１乃至第３分岐端子のいずれかに選択的に切替接続させることを特徴とする高周波スイッチ回路。
【請求項２】
前記第２通信システムは、それぞれ伝送周波数帯を異にする第１及び第２送信系及び第１乃至第４受信系からなり、その中で前記第１送信系及び前記第１、第２受信系の伝送周波数帯が前記第２送信系及び前記第３、第４受信系の伝送周波数帯よりも高周波側に設定されており、前記半導体高周波スイッチ回路は、その第２の分岐端子に接続した第１のダイプレクサを介して２つの分岐端子を導出し、一方の分岐端子に前記第１送信系を接続し、他方の分岐端子に前記第２送信系を接続するとともに、その第３の分岐端子に接続した第２のダイプレクサを介して２つの分岐端子を導出し、一方の分岐端子に前記第１及び第２受信系を接続し、他方の分岐端子に前記第３及び第４受信系を接続していることを特徴とする請求項１に記載の高周波スイッチ回路。
【請求項３】
前記第２ダイプレクサは、一方の分岐端子に第１分波フィルタが、他方の分岐端子に第２分波フィルタがそれぞれ接続され、前記第１分波フィルタによって前記第１及び第２受信系を分波接続する際に、いずれか一方の受信系に直列に第１移相回路を接続し、前記第２分波フィルタによって前記第３及び第４受信系を分波接続する際に、いずれか一方の受信系に直列に第２移相回路を接続したことを特徴とする請求項２に記載の高周波スイッチ回路。
【請求項４】
前記半導体高周波スイッチの前記第２分岐端子と前記第１ダイプレクサとの間に前記第１及び第２送信系に伝送される送信信号の高調波成分を除去する高調波除去フィルタを接続したことを特徴とする請求項２または３に記載の高周波スイッチ回路。
【発明の詳細な説明】
【技術分野】
【０００１】
本発明は、複数の通信システムの切替を行う高周波スイッチ回路に係り、特に、移動体通信に用いる各種の通信システムを少ない制御信号を用いて有効的に切替えることを可能にした高周波スイッチ回路に関する。
【背景技術】
【０００２】
近年、移動体通信システムにおいては、ユーザーが使用できる通信システムとして、１９２０乃至２１７０ＭＨｚ帯の高周波信号を使用したＷ−ＣＤＭＡや、９５０／９００／１８００／１９００ＭＨｚ帯の高周波信号を使用した４バンドＧＳＭ等の複数の通信システムがあり、ユーザーが携帯電話機を用いて、これらの通信システムのいずれかを選択して使用できるように、携帯電話機は、１本の共用アンテナと、その共用アンテナとこれらの通信システムのいずれかとを選択的に接続するための高周波スイッチ回路が設けられている。
【０００３】
ここで、図３は、かかる高周波スイッチ回路の構成の一つの例を示すブロック図であって、特開２００３−１５２５８８号公報に開示されたものである。
【０００４】
図３に示されるように、この高周波スイッチ回路は、半導体電子回路によって構成され、１つの可動端子３２と７つの分岐端子３３（１）乃至３１（７）を有し、可動接点３４の切替により可動端子３２と７つの分岐端子３３（１）乃至３１（７）のいずれかが選択的に接続される高周波モジュール３１と、可動端子３２に接続された共用アンテナ３５と、共通端子と２つの分岐端子を有し、共通端子が分岐端子３３（１）に接続され、一方の分岐端子が第１端子４３（１）に、他方の分岐端子が第２端子４３（２）にそれぞれ接続されたダイプレクサ（ＤＰＸ）３６と、出力端子が第２分岐端子３３（２）に接続され、入力端子が第３端子４３（３）に接続された第１ローパスフィルタ（ＬＰＦ１）３７と、出力端子が第３分岐端子３３（３）に接続され、入力端子が第４端子４３（４）に接続された第２ローパスフィルタ（ＬＰＦ２）３８と、入力端子が第４分岐端子３３（４）に接続され、出力端子が第５端子４３（５）に接続された第１バンドパスフィルタ（ＢＰＦ１）３９と、入力端子が第５分岐端子３３（５）に接続され、出力端子が第５端子４３（５）に接続された第２バンドパスフィルタ（ＢＰＦ２）４０と、入力端子が第６分岐端子３３（６）に接続され、出力端子が第６端子４３（６）に接続された第３バンドパスフィルタ（ＢＰＦ３）４１と、入力端子が第７分岐端子３３（７）に接続され、出力端子が第７端子４３（７）に接続された第４バンドパスフィルタ（ＢＰＦ４）４２とからなっている。
【０００５】
また、第１端子４３（１）はＷ−ＣＤＭＡ送信機（ＴＸ）に接続され、第２端子４３（２）はＷ−ＣＤＭＡ受信機（ＲＸ）に接続される。第３端子４３（３）は１８００／１９００ＭＨｚ帯のＧＳＭ送信機（ＴＸ）に接続され、第４端子４３（４）は８５０／９００ＭＨｚ帯のＧＳＭ送信機（ＴＸ）に接続される。第５端子４３（５）は８５０ＭＨｚ帯のＧＳＭ受信機（ＲＸ）に接続され、第６端子４３（６）は９００ＭＨｚ帯のＧＳＭ受信機（ＲＸ）に接続される。第７端子４３（７）は１８００ＭＨｚ帯のＧＳＭ受信機（ＲＸ）に接続され、第８端子４３（８）は１８００ＭＨｚ帯のＧＳＭ受信機（ＲＸ）に接続される。
【０００６】
前記構成による高周波スイッチ回路は、次のように動作する。
【０００７】
高周波モジュール３１に接続される７本の制御線４４の第１制御線に制御信号を供給すると、可動端子３２の可動接点３４が分岐端子３３（１）に切替接続され、通信システム中のＷ−ＣＤＭＡ送受信機が共用アンテナ３５に接続される。この接続が行われると、Ｗ−ＣＤＭＡ送信機から出力された送信信号は、第１端子４３（１）からダイプレクサ３６及び高周波モジュール３１を通して共用アンテナ３５に供給されてそこから送信され、また、共用アンテナ３５で受信された受信信号は、高周波モジュール３１及びダイプレクサ３６を通して第２端子４３（２）に供給され、Ｗ−ＣＤＭＡ受信機で受信される。
【０００８】
次に、高周波モジュール３１の第２制御線に制御信号を供給すると、可動端子３２の可動接点３４が分岐端子３３（２）に切替接続され、通信システム中の１８００／１９００ＭＨｚ帯のＧＳＭ送信機が共用アンテナ３５に接続される。この接続が行われると、８５０／９００ＭＨｚ帯のＧＳＭ送信機から出力された送信信号は、第３端子４３（３）から第１ローパスフィルタ３７及び高周波モジュール３１を通して共用アンテナ３５に供給されてそこから送信される。また、高周波モジュール３１の第３制御線に制御信号を供給すると、可動端子３２の可動接点３４が分岐端子３３（４）に切替接続され、通信システム中の８５０／９００ＭＨｚ帯のＧＳＭ送信機が共用アンテナ３５に接続される。この接続時に、８５０／９００ＭＨｚ帯のＧＳＭ送信機から出力された送信信号は、第４端子４３（４）から第２ローパスフィルタ３８及び高周波モジュール３１を通して共用アンテナ３５に供給されてそこから送信される。
【０００９】
次いで、高周波モジュール３１の第４制御線に制御信号を供給すると、可動端子３２の可動接点３４が分岐端子３３（４）に切替接続され、通信システム中の８５０ＭＨｚ帯のＧＳＭ受信機が共用アンテナ３５に接続される。この接続時に、共用アンテナ３５で受信された当該周波数帯の受信信号は、高周波モジュール３１及び第１ローパスフィルタ３９を通して第２端子４３（５）に供給され、Ｗ−ＣＤＭＡ受信機で受信される。また、高周波モジュール３１の第５制御線に制御信号を供給すると、可動端子３２の可動接点３４が分岐端子３３（５）に切替接続され、通信システム中の９００ＭＨｚ帯のＧＳＭ受信機が共用アンテナ３５に接続される。この接続時に、共用アンテナ３５で受信された当該周波数帯の受信信号は、高周波モジュール３１及び第２ローパスフィルタ４０を通して第６端子４３（６）に供給され、Ｗ−ＣＤＭＡ受信機で受信される。
【００１０】
続いて、高周波モジュール３１の第６制御線に制御信号を供給すると、可動端子３２の可動接点３４が分岐端子３３（６）に切替接続され、通信システム中の１８００ＭＨｚ帯のＧＳＭ受信機が共用アンテナ３５に接続される。この接続時に、共用アンテナ３５で受信された当該周波数帯の受信信号は、高周波モジュール３１及び第３ローパスフィルタ４１を通して第２端子４３（７）に供給され、Ｗ−ＣＤＭＡ受信機で受信される。また、高周波モジュール３１の第７制御線に制御信号を供給すると、可動端子３２の可動接点３４が分岐端子３３（７）に切替接続され、通信システム中の１９００ＭＨｚ帯のＧＳＭ受信機が共用アンテナ３５に接続される。この接続時に、共用アンテナ３５で受信された当該周波数帯の受信信号は、高周波モジュール３１及び第４ローパスフィルタ４２を通して第６端子４３（８）に供給され、Ｗ−ＣＤＭＡ受信機で受信される。
【００１１】
また、図４は、かかる高周波スイッチ回路の構成の他の例を示すブロック図であって、図３に図示の高周波モジュールを第１及び第２高周波スイッチを用いて構成したもので、特開２００２−０４３９７７号公報に開示されたものである。
【００１２】
図４に示されるように、この高周波スイッチ回路は、共通端子と２つの分岐端子を有するダイプレクサ（ＤＰＸ）５１と、半導体電子回路によって構成され、１つの可動端子５３と３つの分岐端子５４（１）乃至５４（３）を有し、可動接点５５の切替により可動端子５３と３つの分岐端子５４（１）乃至５４（３）のいずれかが選択的に接続される第１高周波スイッチ５２と、同じく半導体電子回路によって構成され、１つの可動端子５７と４つの分岐端子５８（１）乃至５８（４）を有し、可動接点５９の切替により可動端子５７と４つの分岐端子５８（１）乃至５８（４）のいずれかが選択的に接続される第２高周波スイッチ５６と、共用アンテナ６０と、３つの分岐端子５４（１）乃至５４（３）及び４つの４つの分岐端子５８（１）乃至５８（４）に個別に接続された第１ローパスフィルタ（ＬＰＦ１）６１、第１バンドパスフィルタ（ＢＰＦ１）６２、第２バンドパスフィルタ（ＢＰＦ２）６３、第２ローパスフィルタ（ＬＰＦ２）６４、第３バンドパスフィルタ（ＢＰＦ３）６５、第４バンドパスフィルタ（ＢＰＦ４）６６、ダイプレクサ（ＤＰＸ）６７と、第１端子乃至第８端子６８（１）乃至６８（８）とからなっている。
【００１３】
この場合、第１端子６８（１）は８５０／９００ＭＨｚ帯のＧＳＭ送信機（ＴＸ）に接続され、第２端子６８（２）は８５０ＭＨｚ帯のＧＳＭ受信機（ＲＸ）に接続され、第３端子６８（３）は９００ＭＨｚ帯のＧＳＭ受信機（ＲＸ）に接続される。第４端子６８（４）は１８００／１９００ＭＨｚ帯のＧＳＭ送信機（ＴＸ）に接続され、第５端子６８（５）は１８００ＭＨｚ帯のＧＳＭ受信機（ＲＸ）に接続され、第６端子６８（６）は１９００ＭＨｚ帯のＧＳＭ受信機（ＲＸ）に接続され、第７端子６８（７）はＷ−ＣＤＭＡ送信機（ＴＸ）に接続され、第８端子６８（８）はＷ−ＣＤＭＡ受信機（ＲＸ）に接続される。
【００１４】
前記構成による高周波スイッチ回路は、次のように動作する。
【００１５】
第１高周波スイッチ５２に接続される３本の制御線６９の第１制御線に制御信号を供給すると、可動端子５３の可動接点５５が分岐端子５４（１）に切替接続され、通信システム中の８５０／９００ＭＨｚ帯のＧＳＭ送信機が共用アンテナ６０に接続される。この接続が行われると、８５０／９００ＭＨｚ帯のＧＳＭ送信機から出力された送信信号は、第１端子６８（１）から第１ローパスフィルタ６１、第１高周波スイッチ５２及びダイプレクサ５１を通して共用アンテナ６０に供給されてそこから送信される。また、第１高周波スイッチ５２の第２制御線に制御信号を供給すると、可動端子５３の可動接点５５が分岐端子５４（２）に切替接続され、通信システム中の８５０ＭＨｚ帯のＧＳＭ受信機が共用アンテナ６０に接続される。この接続時に、共用アンテナ６０で受信された当該周波数帯の受信信号は、ダイプレクサ５１、第１高周波スイッチ５２及び第１バンドパスフィルタ６２を通して第２端子６９（２）に供給され、８５０ＭＨｚ帯のＧＳＭ受信機に供給される。さらに、第１高周波スイッチ５２の第３制御線に制御信号を供給すると、可動端子５３の可動接点５５が分岐端子５４（３）に切替接続され、通信システム中の９００ＭＨｚ帯のＧＳＭ受信機が共用アンテナ６０に接続される。この接続時に、共用アンテナ６０で受信された当該周波数帯の受信信号は、ダイプレクサ５１、第１高周波スイッチ５２及び第２バンドパスフィルタ６３を通して第３端子６９（３）に供給され、９００ＭＨｚ帯のＧＳＭ受信機に供給される。
【００１６】
一方、第２高周波スイッチ５６に接続される４本の制御線７０の第１制御線に制御信号を供給すると、可動端子５７の可動接点５９が分岐端子５８（１）に切替接続され、通信システム中の１８００／１９００ＭＨｚ帯のＧＳＭ送信機が共用アンテナ６０に接続される。この接続が行われると、１８００／１９００ＭＨｚ帯のＧＳＭ送信機から出力された送信信号は、第４端子６８（４）から第２ローパスフィルタ６４、第２高周波スイッチ５６及びダイプレクサ５１を通して共用アンテナ６０に供給されてそこから送信される。また、第２高周波スイッチ５６の第２制御線に制御信号を供給すると、可動端子５７の可動接点５９が分岐端子５８（２）に切替接続され、通信システム中の１８００ＭＨｚ帯のＧＳＭ受信機が共用アンテナ６０に接続される。この接続時に、共用アンテナ６０で受信された当該周波数帯の受信信号は、ダイプレクサ５１、第２高周波スイッチ５６及び第３バンドパスフィルタ６５を通して第５端子６８（５）に供給され、１８００ＭＨｚ帯のＧＳＭ受信機で受信される。
【００１７】
次いで、第２高周波スイッチ５６の第３制御線に制御信号を供給すると、可動端子５７の可動接点５９が分岐端子５８（３）に切替接続され、通信システム中の１９００ＭＨｚ帯のＧＳＭ受信機が共用アンテナ６０に接続される。この接続時に、共用アンテナ６０で受信された当該周波数帯の受信信号は、ダイプレクサ５１、第２高周波スイッチ５６及び第４バンドパスフィルタ６６を通して第６端子６８（６）に供給され、１９００ＭＨｚ帯のＧＳＭ受信機で受信される。さらに、第２高周波スイッチ５６の第４制御線に制御信号を供給すると、可動端子５７の可動接点５９が分岐端子５８（４）に切替接続され、通信システム中のＷ−ＣＤＭＡ送受信機が共用アンテナ６０に接続される。この接続時に、Ｗ−ＣＤＭＡ送信機から出力された送信信号は、第７端子６８（７）からダイプレクサ６７、第２高周波スイッチ５６及びダイプレクサ５１を通して共用アンテナ６０に供給されてそこから送信され、また、共用アンテナ６０で受信された当該周波数帯の受信信号は、ダイプレクサ５１、第２高周波スイッチ５２及びダイプレクサ６７を通して第８端子６８（８）に供給され、Ｗ−ＣＤＭＡ受信機で受信される。
【特許文献１】特開２００３−１５２５８８号公報
【特許文献２】特開２００２−０４３９７７号公報
【発明の開示】
【発明が解決しようとする課題】
【００１８】
前記特開２００３−１５２５８８号公報に開示された高周波スイッチ回路（以下、これを第１例のスイッチ回路という）は、複数の通信システムの切替接続を行う際に、半導体電子回路で構成された７つの分岐端子３３（１）乃至３３（７）を有する高周波モジュール３１を用い、７つの分岐端子３３（１）乃至３３（７）の中の選択された１つの分岐端子への接続を切替えるものであるため、高周波モジュール３１の回路構成が複雑になって、内部の信号伝送損失が増え、特に、通信システムとして送受信信号レベルが比較的低いＷ−ＣＤＭＡの場合、その信号伝送損失の影響が大きくなる。また、第１例のスイッチ回路は、高周波モジュール３１の切替接続をするために７本の制御線４４を用いて行うので、その切替制御系がかなり複雑なものになる。
【００１９】
次に、前記特開２００２−０４３９７７号公報に開示された高周波スイッチ回路（以下、これを第２例のスイッチ回路という）は、複数の通信システムの切替接続を行う際に、それぞれ半導体電子回路で構成された、３つの分岐端子５４（１）乃至５４（３）を有する第１高周波スイッチ５２及び４つの分岐端子５８（１）乃至５８（４）を有する第２高周波スイッチ５６を用い、第１高周波スイッチ５２が３つの分岐端子５４（１）乃至５４（３）の中の選択された１つの分岐端子への接続を切替え、第２高周波スイッチ５６が４つの分岐端子５８（１）乃至５８（４）の中の選択された１つの分岐端子への接続を切替えるものであるため、第１及び第２高周波スイッチ５２、５６の回路構成と高周波モジュール３１の回路構成とを比べれば、第１例のスイッチ回路よりもその回路構成を簡素化することができ、その回路構成部分の信号伝送損失を少なくできるものの、第２例のスイッチ回路は、第１及び第２高周波スイッチ５２、５６の他に共用アンテナ６０との間にダイプレクサ５１を接続する必要があるため、ダイプレクサ５１を用いた分、第１例のスイッチ回路と同様に、回路構成が複雑になるとともに、信号伝送損失も増大し、送受信信号レベルが比較的低いＷ−ＣＤＭＡの場合、その信号伝送損失の影響が大きくなる。また、第２例のスイッチ回路も、第１及び第２高周波スイッチ５２、５６の切替接続をするために総計７本の制御線６９、７０を用いて行うので、その切替制御系がかなり複雑なものになる。
【００２０】
本発明は、このような技術的背景に鑑みてなされたもので、その目的は、全体に簡素化された回路構成を有し、信号伝送損失の増大が回避でき、高周波スイッチの切替接続に３本の制御線を用いて切替制御系を簡単な構成にした高周波スイッチ回路を提供することにある。
【課題を解決するための手段】
【００２１】
前記目的を達成するために、本発明による高周波スイッチ回路は、信号伝送を第１送受信方式によって行う第１通信システムと、第１送受信方式よりも高レベルの信号伝送を第２送受信方式によって行う第２通信システムとを切替える高周波スイッチ回路であって、切替制御手段を用いて可動端子に結合された可動接点を第１乃至第３分岐端子にそれぞれ切替接続させる半導体高周波スイッチを備え、可動端子に共用アンテナを接続し、第１分岐端子に第１通信システムにおける送信回路及び受信回路を接続し、第２分岐端子に第２通信システムにおける送信回路を接続し、第３分岐端子に第２通信システムにおける受信回路を接続し、切替制御手段の制御により可動接点を第１乃至第３分岐端子のいずれかに選択的に切替接続させる主たる手段を具備する。
【００２２】
この場合、前記主たる手段における第２通信システムは、それぞれ伝送周波数帯を異にする第１及び第２送信系及び第１乃至第４受信系からなり、その中で第１送信系及び第１、第２受信系の伝送周波数帯が第２送信系及び第３、第４受信系の伝送周波数帯よりも高周波側に設定されており、半導体高周波スイッチ回路は、第２の分岐端子に接続した第１のダイプレクサを介して２つの分岐端子を導出し、一方の分岐端子に第１送信系を接続し、他方の分岐端子に及び第２送信系を接続するとともに、第３の分岐端子に接続した第２のダイプレクサを介して２つの分岐端子を導出し、一方の分岐端子に第１及び第２受信系を接続し、他方の分岐端子に第３及び第４受信系を接続した第１の付加手段を具備する。
【００２３】
そして、前記主たる手段及び前記付加手段における第２ダイプレクサは、一方の分岐端子に第１分波フィルタが、他方の分岐端子に第２分波フィルタがそれぞれ接続され、第１分波フィルタによって第１及び第２受信系を分波接続する際に、いずれか一方の受信系に直列に第１移相回路を接続し、第２分波フィルタによって第３及び第４受信系を分波接続する際に、いずれか一方の受信系に直列に第２移相回路を接続した第２の付加手段を具備する。
【００２４】
また、前記主たる手段及び前記２つの付加手段において、半導体高周波スイッチの第２分岐端子と第１ダイプレクサとの間に第１及び第２送信系に伝送される送信信号の高調波成分を除去する高調波除去フィルタを接続した構成にすることが好ましい。
【発明の効果】
【００２５】
請求項１に記載の高周波スイッチ回路によれば、第１通信システムと第２通信システムとを切替える際に、第１乃至第３の分岐端子を備えた半導体高周波スイッチと、第１分岐端子に接続した第１通信システムにおける送受信回路と、第２分岐端子に接続した第２通信システムにおける送信回路と、第３分岐端子に接続した第２通信システムにおける受信回路とを用い、半導体高周波スイッチを第１分岐端子に切替接続したとき第１通信システムによる信号送受信を行い、第２分岐端子に切替接続したとき第２通信システムによる信号送信を行い、第３分岐端子に切替接続したとき第２通信システムによる信号受信を行っているもので、全体的に回路構成を簡素化しただけでなく、第１通信システムと第２通信システムとの間の干渉が少なくなり、第１乃至第３分岐端子を備えた半導体高周波スイッチを用いたことにより、信号伝送損失の増大を避け、高周波スイッチの切替接続に３本の制御線を用いた簡単な構成の切替制御系にすることができるという効果がある。
【００２６】
また、請求項２及び３に記載の高周波スイッチ回路によれば、第２通信システムがそれぞれ伝送周波数帯を異にする第１及び第２送信系及び第１乃至第４受信系からなっている場合に、それぞれの送信系の伝送経路とそれぞれの受信系の伝送経路とを有効的に分離するようにし、それぞれの伝送経路間に生じる信号干渉の度合いを大幅に少なくしているので、前記請求項１に記載の高周波スイッチ回路で得られる効果に加え、信号伝送品質が良好な高周波スイッチ回路を得ることができるという効果がある。
【００２７】
さらに、請求項４に記載の高周波スイッチ回路によれば、半導体高周波スイッチの第２分岐端子と第１ダイプレクサとの間に第１及び第２送信系に伝送される送信信号の高調波成分を除去する高調波除去フィルタを接続したので、送信信号に高調波成分が重畳している場合であっても、送信信号中の高調波成分が高調波除去フィルタによって大きく減衰され、高調波成分の重畳が少ない送信信号を共用アンテナから送信することができるという効果がある。
【発明を実施するための最良の形態】
【００２８】
以下、本発明の実施の形態を図面を参照して説明する。
【００２９】
図１は、本発明による高周波スイッチ回路の一つの実施の形態に係わるもので、その要部構成を示すブロック図である。
【００３０】
図１に示されるように、この実施の形態による高周波スイッチ回路は、半導体電子回路によって構成され、可動端子２と第１乃至第３分岐端子３（１）乃至３（３）を有し、可動接点４の切替により可動端子２と第１乃至第３の分岐端子３（１）乃至３（３）のいずれかが選択的に接続される半導体高周波スイッチ１と、可動端子２に接続された共用アンテナ５と、共通端子と２つの分岐端子を有し、共通端子が第１の分岐端子３（１）に、一方の分岐端子が第１端子１２（１）に、他方の分岐端子が第２端子１２（２）にそれぞれ接続された第１ダイプレクサ（ＤＰＸ１）６と、共通端子と２つの分岐端子を有し、共通端子が高調波除去用フィルタ（ＦＩＬ）１１を通して第２の分岐端子３（２）に、一方の分岐端子が第３端子１２（３）に、他方の分岐端子が第４端子１２（４）にそれぞれ接続された第２ダイプレクサ（ＤＰＸ２）７と、共通端子と２つの分岐端子を有し、共通端子が第３の分岐端子３（３）に、一方の分岐端子が第４ダイプレクサ（ＤＰＸ４）９の共通端子に、他方の分岐端子が第５ダイプレクサ（ＤＰＸ５）１０の共通端子にそれぞれ接続された第３ダイプレクサ（ＤＰＸ３）８と、共通端子と２つの分波端子を有し、一方の分波端子が第５端子１２（５）に、他方の分波端子が第６端子１２（６）にそれぞれ接続された第１分波フィルタ（Ｄ．ＦＩＬ１）９と、共通端子と２つの分波端子を有し、一方の分波端子が第７端子１２（７）に、他方の分波端子が第８端子１２（８）にそれぞれ接続された第２分波フィルタ（Ｄ．ＦＩＬ２）１０とからなっている。また、半導体高周波スイッチ１は、可動接点４の切替により第１乃至第３の分岐端子３（１）乃至３（３）を選択するための３本の制御線１３が接続されている。
【００３１】
ここで、第１端子１２（１）はＷ−ＣＤＭＡ送信機（ＴＸ）に接続され、第２端子１２（２）はＷ−ＣＤＭＡ受信機（ＲＸ）に接続される。第３端子１２（３）は１８００／１９００ＭＨｚ帯のＧＳＭ送信機（ＴＸ）に接続され、第４端子１２（４）は８５０／９００ＭＨｚ帯のＧＳＭ送信機（ＴＸ）に接続される。第５端子１２（５）は８５０ＭＨｚ帯のＧＳＭ受信機（ＲＸ）に接続され、第６端子は９００ＭＨｚ帯のＧＳＭ帯のＧＳＭ受信機（ＲＸ）に接続される。また、第７端子１２（７）は１８００ＭＨｚ帯のＧＳＭ受信機（ＲＸ）に接続され、第８端子１２（８）は１９００ＭＨｚ帯のＧＳＭ受信機（ＲＸ）に接続される。この場合、Ｗ−ＣＤＭＡによる送受信方式は第１通信システムに該当し、ＧＳＭによる送受信方式は第２通信システムに該当するもので、通常、第２通信システムおける送受信信号レベルは、第１通信システムにおける送受信信号レベルよりも大きくなっている。
【００３２】
前記構成を備えたこの実施の形態による高周波スイッチ回路は、次のように動作する。
【００３３】
半導体高周波スイッチ１に接続される３本の制御線１３の第１制御線に制御信号を供給すると、可動端子２の可動接点４が第１分岐端子３（１）に切替接続され、第１通信システムであるＷ−ＣＤＭＡ送受信機が共用アンテナ５に接続される。この接続が行われると、Ｗ−ＣＤＭＡ送信機から出力された送信信号は、第１端子１２（１）から第１ダイプレクサ６及び半導体高周波スイッチ１を通して共用アンテナ５に供給され、そこから外部に送信される。また、共用アンテナ５で受信された当該Ｗ−ＣＤＭＡの受信信号は、半導体高周波スイッチ１及び第１ダイプレクサ６を通して第２端子１２（２）に供給され、Ｗ−ＣＤＭＡ受信機で受信される。
【００３４】
次に、半導体高周波スイッチ１の第２制御線に制御信号を供給すると、可動端子２の可動接点４が第２分岐端子３（２）に切替接続され、第２通信システムの中の１８００／１９００ＭＨｚ帯のＧＳＭ送信機及び８５０／９００ＭＨｚ帯のＧＳＭ送信機が共用アンテナ５に接続される。この接続が行われると、１８００／１９００ＭＨｚ帯のＧＳＭ送信機から出力された送信信号は、第３端子１２（３）から第２ダイプレクサ７、高調波除去用フィルタ１１及び半導体高周波スイッチ１を通して共用アンテナ５に供給され、そこから外部に送信される。同じように、８５０／９００ＭＨｚ帯のＧＳＭ送信機から出力された送信信号は、第４端子１２（４）から第２ダイプレクサ７、高調波除去用フィルタ１１及び半導体高周波スイッチ１を通して共用アンテナ５に供給され、そこから外部に送信される。
【００３５】
次いで、半導体高周波スイッチ１の第３制御線に制御信号を供給すると、可動端子２の可動接点４が第３分岐端子３（３）に切替接続され、第２通信システムの中の８５０／９００ＭＨｚ帯のＧＳＭ受信機及び１８００／１９００ＭＨｚ帯のＧＳＭ受信機が共用アンテナ５に接続される。この接続が行われたとき、共用アンテナ５で受信された８５０／９００ＭＨｚ帯の受信信号は、半導体高周波スイッチ１、第３ダイプレクサ８を通して第１分波フィルタ９に供給される。このとき、８５０ＭＨｚ帯の受信信号は、第１分波フィルタ９で分波されて一方の分岐端子に伝送され、その一方の分岐端子から第５端子１２（５）に供給され、８５０ＭＨｚ帯のＧＳＭ受信機で受信される。一方、９００ＭＨｚ帯の受信信号は、第１分波フィルタ９で分波されて他方の分岐端子に伝送され、その他方の分岐端子から第６端子１２（６）に供給され、９００ＭＨｚ帯のＧＳＭ受信機で受信される。また、共用アンテナ５で受信された１８００／１９００ＭＨｚ帯の受信信号は、半導体高周波スイッチ１、第３ダイプレクサ８を通して第２分波フィルタ１０に供給される。このとき、１８００ＭＨｚ帯の受信信号は、第２分波フィルタ１０で分波されて一方の分岐端子に伝送され、その一方の分岐端子から第７端子１２（７）に供給され、１８００ＭＨｚ帯のＧＳＭ受信機で受信される。一方、１９００ＭＨｚ帯の受信信号は、第２分波フィルタ１０分波されて他方の分岐端子に伝送され、その他方の分岐端子から第８端子１２（８）に供給され、１９００ＭＨｚ帯のＧＳＭ受信機で受信される。
【００３６】
このように、この実施の形態によれば、第１通信システムであるＷ−ＣＤＭＡの送受信は、半導体高周波スイッチ１が第１分岐端子３（１）に切替接続されたときに行われ、第２通信システムであるＧＳＭの送信は、半導体高周波スイッチ１が第２分岐端子３（２）に切替接続されたときに行われ、同じ第２通信システムであるＧＳＭの受信は、半導体高周波スイッチ１が第３分岐端子３（３）に切替接続されたときに行われるもので、半導体高周波スイッチ１の第１乃至第３分岐端子３（１）乃至３（３）を通信システム別、及び、１つの通信システムにおける送受信別に分担させたことにより、半導体高周波スイッチ１の分岐端子を少なくすることができる。また、ＧＳＭの受信については、第３ダイプレクサ８や第１及び第２分波フィルタ９、１０を用いて、受信信号を周波数帯別に４つに分割した形で出力させているので、半導体高周波スイッチ１の分岐端子の数が３つという最小数であるにも係らず、ＧＳＭの受信信号同士が干渉しあうことを少なくすることができ、半導体高周波スイッチ１の分岐端子の数が最小数の３つであることから、信号伝送損失の増大を避け、高周波スイッチの切替接続に３本の制御線を用いた簡単な構成の切替制御系にすることができる。この他に、この実施の形態によれば、半導体高周波スイッチ１の第２分岐端子３（２）と第２ダイプレクサ７間に送信信号の高調波成分を減衰させる高調波除去用フィルタ１１を接続したので、送信信号中の高調波成分がこの高調波除去用フィルタ１１によって除去され、高調波成分の重畳が少ない送信信号の送信が可能になる。
【００３７】
次に、図２は、図１に図示された第１及び第２分波フィルタ９、１０の具体的構成の一例を示すブロック図である。
【００３８】
図２に示されるように、第１分波フィルタ９は、８５０ＭＨｚ帯の周波数信号を選択抽出する第１バンドパスフィルタ（ＢＰＦ）１４と、９００ＭＨｚ帯の周波数信号を選択抽出する第２バンドパスフィルタ（ＢＰＦ）１５と、第１バンドパスフィルタ１４の出力信号と第２バンドパスフィルタ１５の出力信号とがほぼ同位相状態になるように８５０ＭＨｚ帯の周波数信号を移相調整する第１移相回路１６とからなっている。また、第２分波フィルタ１０は、１８００ＭＨｚを帯の周波数信号を選択抽出する第３バンドパスフィルタ（ＢＰＦ）１７と、１９００ＭＨｚ帯の周波数信号を選択抽出する第４バンドパスフィルタ（ＢＰＦ）１８と、第３バンドパスフィルタ１７の出力信号と第４バンドパスフィルタ１８の出力信号とがほぼ同位相状態になるように１８００ＭＨｚ帯の周波数信号を移相調整する第２移相回路１９とからなっている。なお、図２において、図１に示された構成要素と同じ構成要素については同じ符号を付している。
【００３９】
かかる構成の第１分波フィルタ９を用いれば、第１分波フィルタ９の入力に８５０／９００ＭＨｚ帯のＧＳＭ受信信号が供給されたとき、その受信信号の中の８５０ＭＨｚ帯の周波数信号は第１バンドパスフィルタ１４で選択抽出されて第５端子１２（５）に供給され、一方、その受信信号の中の９００ＭＨｚ帯の周波数信号は第２バンドパスフィルタ１５で選択抽出されて第６端子１２（６）に供給される。また、かかる構成の第２分波フィルタ１０を用いれば、第２分波フィルタ１０の入力に１８００／１９００ＭＨｚ帯のＧＳＭ受信信号が供給されたとき、その受信信号の中の１８００ＭＨｚ帯の周波数信号は第３バンドパスフィルタ１７で選択抽出されて第７端子１２（７）に供給され、一方、その受信信号の中の１９００ＭＨｚ帯の周波数信号は第４バンドパスフィルタ１８で選択抽出されて第８端子１２（８）に供給される。このようにして、８５０／９００ＭＨｚ帯のＧＳＭ受信信号及び１８００／１９００ＭＨｚ帯のＧＳＭ受信信号をそれぞれ分波することができる。
【図面の簡単な説明】
【００４０】
【図１】本発明による高周波スイッチ回路の一つの実施の形態に係わるもので、その要部構成を示すブロック図である。
【図２】図１に図示された第１及び第２分波フィルタの具体的構成の一例を示すブロック図である。
【図３】既知の高周波スイッチ回路の構成の一つの例を示すブロック図である。
【図４】既知の高周波スイッチ回路の構成の他の例を示すブロック図である。
【符号の説明】
【００４１】
１  半導体高周波スイッチ
２  可動端子
３（１）  第１分岐端子
３（２）  第２分岐端子
３（３）  第３分岐端子
４  可動接点
５  共用アンテナ
６  第１ダイプレクサ（ＤＰＸ１）
７  第２ダイプレクサ（ＤＰＸ２）
８  第３ダイプレクサ（ＤＰＸ３）
９  第４ダイプレクサ（ＤＰＸ４）
１０  第５ダイプレクサ（ＤＰＸ５）
１１  高調波除去用フィルタ（ＦＩＬ）
１２（１）  第１端子
１２（２）  第２端子
１２（３）  第３端子
１２（４）  第４端子
１２（５）  第５端子
１２（６）  第６端子
１２（７）  第７端子
１２（８）  第８端子
１３  制御線
１４  第１バンドパスフィルタ（ＢＰＦ）
１５  第２バンドパスフィルタ（ＢＰＦ）
１６  第１移相回路
１７  第３バンドパスフィルタ（ＢＰＦ）
１５  第４バンドパスフィルタ（ＢＰＦ）
１６  第２移相回路
【図１】
2006129023.tif 000003
【図２】
2006129023.tif 000004
【図３】
2006129023.tif 000005
【図４】
2006129023.tif 000006